(57)【特許請求の範囲】
【請求項１】
建築における基礎コンクリート用のアンカーボルト支持部材であって、アンカーボルトが挿通される挿通孔を有する筒状の挿通部と、該挿通部から外側へ対称方向に向かって設けられた腕部と、該各腕部の先端側に設けられた取着間隔保持部と、該各取着間隔保持部の外側の非上下端位置に設けられた取着部とからなり、上記挿通部はその上下端が上記腕部の上下面より突出していると共に上下の突出長さが異なっており、また上記各取着間隔保持部は上記挿通部側とは反対側に相互に平行な平面を有しており、また上記各取着部は上記各取着間隔保持部における上記相互に平行な平面に対して直角な平面を上下に有していることを特徴とするアンカーボルト支持部材。
【請求項２】
挿通部が、腕部から上下端側にいくにつれてその外径が漸次細くなるように形成されている請求項１記載のアンカーボルト支持部材。
【請求項３】
少なくとも挿通部がプラスチック製である請求項１又は２記載のアンカーボルト支持部材。
【請求項４】
取着部の幅方向両端が、取着間隔保持部の幅方向両端よりも突出している請求項１〜３のいずれかに記載のアンカーボルト支持部材。
【請求項５】
各腕部が、その長さを同一ピッチで段階的に変化させることが可能に構成されている請求項１〜４のいずれかに記載のアンカーボルト支持部材。
【請求項６】
各腕部の長さを変化させることにより各腕部の長さを同一にすることができるように構成されている請求項１〜５のいずれかに記載のアンカーボルト支持部材。
【請求項７】
各腕部の長さを変化させることにより各腕部の長さを相互に異ならしめることができるように構成されている請求項１〜５のいずれかに記載のアンカーボルト支持部材。
【請求項８】
挿通部を挟んで対称位置にある腕部の長さが同一である請求項１〜４のいずれかに記載のアンカーボルト支持部材。
【発明の詳細な説明】
【０００１】
【発明の属する技術分野】
本発明はアンカーボルト支持部材に関する。
【０００２】
【従来の技術】
従来、アンカーボルトの支持部材としては、例えば実公昭５６−２８２７６号公報に記載されたコンクリート仮枠支持金物における上場用部材がある。該支持金物における上場用部材は、アンカーボルト支持筒を貫通固定してなり、該支持筒には、横一文字の切込みを施してこの切込みに外側より線状バネの途中を嵌入させ、このバネに常時入り込み方向の復元弾性を付与してなるものである。
【０００３】
上記上場用部材は、バネにより支持筒内に挿通されたアンカーボルトをその復元弾性によって支持筒内において支持筒内面に押しつけて固定状態とし、アンカーボルトの高さを定めることができるものである。
【０００４】
【発明が解決しようとする課題】
しかしながら、上記従来の支持部材は、上下方向が定められている構造であるため、仮枠に取り付ける際にいちいち上下方向を確認しながら正確な向きとなるように取り付けなければならず、施工に手間がかかるという欠点があった。
【０００５】
本発明は、上記の点に鑑みなされたものであり、上記従来の欠点を解消し、施工に手間のかからないアンカーボルト支持部材を提供することを目的とする。
【０００６】
【課題を解決するための手段】
本発明は、（１）建築における基礎コンクリート用のアンカーボルト支持部材であって、アンカーボルトが挿通される挿通孔を有する筒状の挿通部と、該挿通部から外側へ対称方向に向かって設けられた腕部と、該各腕部の先端側に設けられた取着間隔保持部と、該各取着間隔保持部の外側の非上下端位置に設けられた取着部とからなり、上記挿通部はその上下端が上記腕部の上下面より突出していると共に上下の突出長さが異なっており、また上記各取着間隔保持部は上記挿通部側とは反対側に相互に平行な平面を有しており、また上記各取着部は上記各取着間隔保持部における上記相互に平行な平面に対して直角な平面を上下に有していることを特徴とするアンカーボルト支持部材、（２）挿通部が、腕部から上下端側にいくにつれてその外径が漸次細くなるように形成されている上記（１）記載のアンカーボルト支持部材、（３）少なくとも挿通部がプラスチック製である上記（１）又は（２）記載のアンカーボルト支持部材、（４）取着部の幅方向両端が、取着間隔保持部の幅方向両端よりも突出している上記（１）〜（３）のいずれかに記載のアンカーボルト支持部材、（５）各腕部が、その長さを同一ピッチで段階的に変化させることが可能に構成されている上記（１）〜（４）のいずれかに記載のアンカーボルト支持部材、（６）各腕部の長さを変化させることにより各腕部の長さを同一にすることができるように構成されている上記（１）〜（５）のいずれかに記載のアンカーボルト支持部材、（７）各腕部の長さを変化させることにより各腕部の長さを相互に異ならしめることができるように構成されている上記（１）〜（５）のいずれかに記載のアンカーボルト支持部材、（８）挿通部を挟んで対称位置にある腕部の長さが同一である上記（１）〜（４）のいずれかに記載のアンカーボルト支持部材を要旨とする。
【０００７】
【発明の実施の形態】
以下、本発明を図面に基づき詳細に説明する。図１〜図４は本発明のアンカーボルト支持部材の一例を示す斜視図である。アンカーボルト支持部材１は、図１〜図４に示すように、アンカーボルト２が挿通される、好ましくはアンカーボルト２が嵌挿される挿通孔３を有する筒状の挿通部４と、該挿通部４から外側へ対称方向に向かって設けられ、上記挿通部４の長孔３の方向に対して直角な平面５ａ、５ｂをそれぞれ上下面として有する２本の平板状の腕部５と、各腕部５の先端に設けられた取着間隔保持部６と、各取着間隔保持部６の外側の上下方向中央位置に設けられた取着部７とからなる。
【０００８】
上記各部は全て、ポリエチレン、ポリプロピレン、塩化ビニル、フッ素樹脂、シリコン樹脂等、従来公知のプラスチックで構成されているが、金属で構成されていてもよい。尚、全てプラスチック製であると、樹脂成形により得ることができるので大量生産に好適である。
【０００９】
挿通部４はその上下端が腕部５の上下各面５ａ、５ｂよりそれぞれ上下に突出していると共に上下の突出長さが異なっている。
【００１０】
また、挿通部４は、その腕部５との付け根から挿通部４の上下端側にいくにつれて、その外径が漸次細くなるようにテーパー状に形成されている。
【００１１】
挿通部４が、上下いずれかに長く、それと反対側が短く形成されていると、基礎コンクリートの高さが型枠の高さにかなり接近した高さとなるように打設されるような場合であっても、短い方を下方に向けて使用すればその先端が基礎コンクリートに埋没するようなことがない。
【００１２】
また、挿通部４がその端部側にいくにつれて細くなるテーパー状に形成されていると、万一、挿通部４が基礎コンクリートに埋没しても容易に抜き取ることができる。
【００１３】
腕部５は、挿通部４及び取着間隔保持部６とそれより外側の部分を保持するためのものである。挿通部４を挟んで対称な腕部５の長さは、通常、同一とされる。
【００１４】
各取着間隔保持部６においては、挿通部４側とは反対側に位置して設けられている平面８が相互に平行である。取着間隔保持部６は図に示すように平板状とすることができる。そして、平面８は腕部５に対して直角となるように位置している。該平面８は挿通部４の挿通孔３に対して平行である。取着間隔保持部６は、アンカーボルト支持部材１を基礎コンクリート打設用の２枚の枠板上に配置した時、取着間隔保持部６の外側面６ａを各枠板の内面に当接させて型枠間隔を保持するためのものである。取着間隔保持部６の、腕部５との結合部基部６ａからの上下方向長さは、通常、同じ長さとされるが、これに限られない。
【００１５】
取着部７は取着間隔保持部６における平面８に対して直角な平面９を上下両方に有しており、通常、図に示すような平板状とされる。該平面９は腕部５の面５ａ、５ｂと平行であり、挿通部４の挿通孔３の長手方向に対して直角である。取着部７は、それを基礎コンクリート打設用の２枚の枠板の上端面に載置することにより、アンカーボルト支持部材１を所定高さに位置固定するためのものである。
【００１６】
本発明においては、少なくとも挿通部４が前記したプラスチックからなるものであるのが好ましく、特に、フッ素樹脂等の離型性に優れたものが好ましい。挿通部４をプラスチック製とすることにより離型性に優れたものとすることができ、挿通部４が基礎コンクリートに埋没した時のコンクリートからの抜き取り易さを更に向上できる。
【００１７】
また、本発明においては、図１〜図４に示すように、取着部７の幅方向両端が、取着間隔保持部６の幅方向両端よりも突出しているのが好ましい。このように構成されていると、図８〜図９に示すように、取着部７における取着間隔保持部６の幅方向両端部より外側の突出部７ａ、７ｂの上面側から、従来から用いられている、基礎コンクリート打設用型枠の幅止め金具２０で押さえるようにして取り付けることにより、アンカーボルト支持部材１をより強固に型枠に固定することができる。尚、本発明においては、このような態様に限られるものではなく、またこのような使用方法に限られない。尚、７ｃは枠板への取り付けの際に釘等が挿通される孔である。
【００１８】
図２〜図４は、本発明の別の実施例を示す図である。図３は図２の支持部材を斜め方向から見た分解斜視図である。また図４は腕部５を最大に延ばした状態を示す図である。図２〜図４に示すように、本発明においては、腕部５が、その長さを同一ピッチで段階的に変化させることが可能であり、かつ挿通部４を挟んで対称な各腕部５の長さを同一にすることができるように構成されたものとすることができる。
【００１９】
図２〜図４において、腕部５は、挿通部４に設けられた支持部１０と、該支持部１０の上方に重なるようにして設けられた可動部１１とからなり、可動部１１の外側先端には取着間隔保持部６が設けられている。支持部１０と可動部１１にはそれぞれ孔１０ａ、１１ａが設けられており、１０ａは挿通部４と取着間隔保持部６とを結ぶ方向に長い長孔である。尚、孔１１ａが長孔であっても、両方の孔が長孔であってもよい。上記いずれかの孔に雌螺子が切ってあり、雄螺子を通すことによるか、或いは上記両孔１０ａ、１１ａにボルトを挿通して反対側をナットで締結することにより、支持部１０と可動部１１とを締結できるようになっている。図２〜図４においては、支持部１０の長孔１０ａにビス１２を通し、該ビス１２を更に可動部１１のネジ孔１１ａに通して該ネジ孔１１ａに螺合させて締結し、それによって可動部１１を支持部１０に対して固定した状態となるように構成されている。
【００２０】
支持部１０の上面には側面視山切り状の凸条１０ｂが設けられており、また該支持部１０の凸条１０ｂに面する、可動部１１の下面にも側面視山切り状の凸条１１ｂが設けられており、両者における山切り状の凸条の凹凸ピッチは同一である。上記支持部と可動部とによるこのような噛み合い構造は、一般にラックギアと呼ばれている。尚、支持部１０と可動部１１の噛み合う面の形状は必ずしも山切り状でなくとも、両者が互いに噛み合うことができるように、所定の一定ピッチの凸条と、それに噛み合うことができる上記と同一ピッチの凹条を結果的に有する凸条とから構成されていてもよい。
【００２１】
図２〜図４では、挿通部４はその長い方が支持部１０の凸条１０ｂとは反対側に、短い方が支持部１０の凸条１０ｂ側になるように設けられているが、この逆でもよい。また、挿通部４はプラスチック製であるのが好ましい。
【００２２】
腕部５の長さを変化させるには、まず、ビス１２を充分緩める。この時、ビス１２が可動部１１のネジ孔１１ａから抜けても構わない。次いで、可動部１１を長孔１０ａの長径の方向にスライドさせる。挿通部４に対して対称方向の可動部についても同様にし、対称方向にある腕部５の長さが同一となるようにする。その後、各腕部５におけるビス１２をネジ孔１１ａにネジ込み締結して可動部１１を支持部１０に対して固定状態とする。この固定状態では、挿通部４を挟んで両側に配置された取着間隔保持部６の間において、挿通部４は取着間隔保持部６，６の丁度中間に位置している。
【００２３】
図２〜図４の如き態様を採用すれば、挿通部４を取着間隔保持部６、６の丁度中間位置に容易に位置させることが可能であり、また中間位置に精度よく位置させることが可能である。
【００２４】
尚、挿通部４を取着間隔保持部６，６の中間位置から偏らせた状態で固定することもできる。この場合、対称方向にある腕部５の長さを異ならしめるように変化させる。
【００２５】
図５〜図７は、本発明の更に別の例を示す図であり、図５、図６は腕部５を最も縮めた状態のそれぞれ底面図、側面図であり、図７は腕部５を最大に延ばした状態の側面図である。本発明においては、図５〜図７に示すように、腕部５を２つの相互にスライド可能な可動部１３，１４から構成し、該可動部１３，１４に対してスライド可能に挿通部４を設けて構成することもできる。図５〜図７において、可動部１３と１４とは相対向する面が相互に噛み合うように、凹凸ピッチが同一の山切り状の凸条１３ｂ，１４ｂがそれぞれ設けられている。可動部１３にも１４にも、挿通部４と取着間隔保持部６とを結ぶ方向に長い長径を有し、短径は挿通部４が挿通可能な大きさの長孔１３ａ，１４ａがそれぞれ設けられており、該長孔１３ａ，１４ａに挿通部４が長孔１３ａ，１４ａの長径方向にスライド可能に挿通されている。挿通部４の長手方向途中には、鍔部１５が設けられており、該鍔部１５が可動部１４の下面に位置するように設けられている。
【００２６】
鍔部１５において挿通部４を挟んで対称位置にはビス孔１６，１６が設けられている。一方、上記可動部１３，１４において長孔１３ａ、１４ａの短径方向両側には、該長孔１３ａ，１４ａと平行であって長径方向を同一とするビス長孔１３ｃ，１３ｃ、及び１４ｃ，１４ｃが設けられている。そして、ビス１７が、ビス孔１６と長孔１４ａと長孔１３ａとに通され、長孔１３ａから突出したビス１７の先端側にナット１８を螺合して締結されることにより、挿通部４に設けられた鍔部１５と、可動部１４と、可動部１３とが固定状態となるように構成されている。
【００２７】
挿通部４の、腕部５（可動部１３及び１４）の基部からの上下方向の長さは、相互に異なっている。また、挿通部４は、鍔部１５から上下端側に行くにつれて漸次細径となるように構成されている。図５〜図７に示す態様においても、挿通部４はプラスチック製であるのが好ましい。
【００２８】
腕部５の長さを変化させるには、まず、ビス１７とナット１８との締結を充分緩める。次いで、可動部１３と１４とを相互に長孔１３ａ（１４ａ）の長径の方向にスライドさせる。挿通部４が設けられた鍔部１５は任意の所定位置となるように長孔１３ａ（１４ａ）の長径の方向にスライドさせる。挿通部４が、該挿通部４を挟んで対向位置にある取着間隔保持部６の丁度中央に位置するようにするには、挿通部４を挟んで対称方向にある腕部５の長さが同一となるようにする。挿通部４が偏って位置するようにするには、挿通部４を挟んで腕部の長さを異ならしめるようにする。その後、各腕部５におけるビス１７にナット１８を螺合し締結して可動部１３と１４と、挿通部４を設けた鍔部１５とを固定状態とする。
【００２９】
上記図５〜図７の如き態様を採用すれば、取着間隔保持部６、６の間隔を広範囲に変化させることが可能であり、また挿通部４の偏芯の程度を顕著なものとすることが可能である。
【００３０】
尚、図５〜図７の態様の支持部材において、図１３に示すように、支持部材１の片側において、ビス孔１３ｃと１４ｃのうち、内側即ち挿通部４側寄りの縁端部ｅ1 と、取着間隔保持部６の外側面における取着部７との結合基部ｆ1 との間の長さｗ1 が、反対側における上記と同様の部分であるｅ2 とｆ2 との間の長さｗ2 と等しくなるように構成されていれば、挿通部４を容易に中央位置に位置させることも可能である。即ち、図１３に示すように、鍔部１５を斜めにして、各ビス１７がビス孔１３ｃ（１４ｃ）の縁端部に当接するように鍔部１５を位置させることにより、必然的にｆ1 とｆ2 との真ん中に挿通部４が位置することとなり、容易に、挿通部４を真ん中に位置させることができる。
【００３１】
図５において、７ｄは定規として用いる目盛り線である。この目盛り線７ｄがあれば、図１４に使用状態を示す平面図として示すように、土台２４の端面２５などの、アンカーボルト設置基準となる線に対して目盛り線７ｄを適宜位置合わせすることにより、例えばアンカーボルトを土台２４の中央などの所望の位置に位置決めすることが容易となる。このような目盛り線は、前記したどの実施例にも設けることができる。
【００３２】
図８、図９は本発明アンカーボルト支持部材の使用方法を説明するための説明図である。本発明のアンカーボルト支持部材を用いるに当たっては、例えば図８、図９に示すように、支持部材１を枠板１９，１９の上面に載置する。具体的には、取着部７を枠板１９の上面に載せるようにする。その際、取着間隔保持部６，６が枠板１９，１９の内側に当接するように、腕部５の長さを前記した如き手順によって調節する。
【００３３】
支持部材１として、その取着部の幅方向両端が、取着間隔保持部の幅方向両端よりも突出しているものを用いた場合は、次いで、図８〜図９に示すように、従来公知の基礎コンクリート打設用枠板の幅止め金具２０を取着部７の突出部７ａ、７ｂの上面側から釘２１等を打ち込むことにより取り付けて、該幅止め金具２０で取着部７を押さえるようにすることにより、アンカーボルト支持部材１をより強固に枠板１９に固定する。尚、幅止め金具２０を用いずに取着部７を枠板１９上面に取り付けるだけでもよい。
【００３４】
図８、図９において、２２は主筋である。支持部材１の取り付けに際しては、アンカーボルト２を主筋２２に固定した後、アンカーボルト２の上部先端を挿通部４の挿通孔３に挿通させた後、枠板１９、１９間の間隔に合わせて腕部５の長さを調節する操作を行なってもよいし、或いはその逆に、支持部材１を枠板間に設置した後にアンカーボルトを挿通孔に通してもよい。後者の場合、アンカーボルトを主筋に必ずしも固定しなくともよい。
【００３５】
本発明のアンカーボルト支持部材の使用態様としては、図１０に示すように、コンクリート２３の上面が充分に下方にくる場合には、挿通部４の長い方が下側にくる態様で使用しても、或いはその逆向きの態様で使用してもどちらでもよい。
【００３６】
また、図１１に示すように、コンクリート２３の上面がかなり上方にくる場合には、挿通部４の短い方が下側にくる使用態様が望ましい。このようにすれば、コンクリート２３の上面が支持部材１の下方間際まで到達しても、挿通部４がコンクリートに埋没することがない。但し、図１２に示すように、コンクリート２３の上面がかなり上方にきても、挿通部４の上下先端部が先細に形成されていれば、たとえコンクリート２３内に挿通部４が埋没しても容易に抜き取ることができるので、下側に挿通部の長い方がくる態様でも後工程に支障を及ぼすことなく使用することができる。挿通部をプラスチック製とすれば抜き取りを更に容易にできる。
【００３７】
【発明の効果】
本発明のアンカーボルト支持部材は以上のように構成されているので、上下どちらの向きで用いることもでき、施工に手間が掛からない。
また、取着間隔保持部が設けられているので、枠板の間隔を、狭くならないように正確に保持することができるという効果を奏する。
【００３８】
また、基礎コンクリートの上面が支持部材の下方真近に達するような場合には、挿通部の短い方を基礎コンクリート側に向くようにして用いれば、挿通部が基礎コンクリートに埋没することを防止でき、基礎コンクリート打設後に支持部材を取り外し作業を容易にでき、取り外し作業の簡便化を図れる効果を奏する。
【００３９】
各腕部が、その長さを同一ピッチで段階的に変化させることが可能に構成されている場合は、腕部の長さを自在に変化させることによって幅の異なる基礎コンクリートの施工にも一種類の支持部材で対応できるという効果があり、また、腕部の長さを変化させることによって、挿通部を中央位置に正確に位置させることができるという効果を奏する。
【００４０】
挿通部を挟んで対称位置にある腕部の長さが同一に構成されている場合は、挿通部を常に正確に基礎コンクリートの幅方向中心部へ設けることができるように位置させることができる。
【図面の簡単な説明】
【図１】本発明のアンカーボルト支持部材の一例を示す斜視図である。
【図２】本発明のアンカーボルト支持部材の別の例を示す斜視図である。
【図３】図２のアンカーボルト支持部材を斜め下方から見た分解斜視図である。
【図４】図２のアンカーボルト支持部材の腕部を延ばした状態を示す斜視図である。
【図５】本発明のアンカーボルト支持部材の更に別の例を示す底面図である。
【図６】図５のアンカーボルト支持部材の側面図である。
【図７】図５のアンカーボルト支持部材の腕部を延ばした状態を示す側面図である。
【図８】本発明のアンカーボルト支持部材の使用方法について説明するための説明図である。
【図９】図８の要部拡大図である。
【図１０】本発明のアンカーボルト支持部材の一使用態様を示す図である。
【図１１】アンカーボルト支持部材の別の使用態様を示す図である。
【図１２】アンカーボルト支持部材の更に別の使用態様を示す図である。
【図１３】図５のアンカーボルト支持部材において挿通部を中央に位置させた状態を示す図である。
【図１４】図５のアンカーボルト支持部材の取り付け方法について説明するための説明図である。
【符号の説明】
１  アンカーボルト支持部材
２  アンカーボルト
３  挿通孔
４  挿通部
５  腕部
６  取着間隔保持部
７  取着部
１０  支持部
１１，１３，１４  可動部
１５  鍔部
【図１】
0003718012.tif 000002
【図２】
0003718012.tif 000003
【図３】
0003718012.tif 000004
【図４】
0003718012.tif 000005
【図５】
0003718012.tif 000006
【図６】
0003718012.tif 000007
【図７】
0003718012.tif 000008
【図８】
0003718012.tif 000009
【図９】
0003718012.tif 000010
【図１０】
0003718012.tif 000011
【図１１】
0003718012.tif 000012
【図１２】
0003718012.tif 000013
【図１３】
0003718012.tif 000014
【図１４】
0003718012.tif 000015